(57)【要約】【課題】容易に縦と横との構図を確認することができる撮像装置を提供する。【解決手段】撮像装置１は、撮影に先立って撮像部１１から取得される第１画像に対して縦又は横に構図を違えた第２画像を画角を調節して取得し、その第１画像と第２画像とをファインダ部１３に識別表示する。さらに、撮像装置１は、前記第２画像の取得時の画角調節を撮像部１１で撮像される画像の縦横比に応じて行なう。【選択図】図１
2006186543.tif 000002
【特許請求の範囲】
【請求項１】
撮像画面の縦横比が異なる撮像装置において、
撮像に先立って基準画像を取得する基準画像取得手段と、
前記取得した基準画像に基づいて、一の縦横比の第１画像を取得する第１画像取得手段と、
前記取得した基準画像に基づいて、前記一の縦横比とは異なる他の縦横比の第２画像を取得する第２画像取得手段と、
前記取り込まれた第１画像及び第２画像のそれぞれの撮像範囲を示す標識を表示する表示手段と、
を備えたことを特徴とする撮像装置。
【請求項２】
前記第１画像は縦長画像若しくは横長画像のいずれか一方であり、第２画像はその他方であることを特徴とする請求項１に記載の撮像装置。
【請求項３】
前記第２画像の取得時に当該第２画像が撮像画面内に収まるか否かを判定する判定手段と、
前記判定手段の判定結果に応じて前記第２画像取得時における当該撮像装置の画角を調整する画角調整手段と、
を備えたことを特徴とする請求項１又は２に記載の撮像装置。
【請求項４】
前記標識は、撮像範囲を囲む枠であることを特徴とする請求項１〜３のいずれか一項に記載の撮像装置。
【請求項５】
前記標識は、撮像範囲を示すマーカであることを特徴とする請求項１〜３のいずれか一項に記載の撮像装置。
【請求項６】
撮像画面の縦横比が異なる撮像装置のコンピュータを、
撮像に先立って基準画像を取得する基準画像取得手段と、
前記取得した基準画像に基づいて、一の縦横比の第１画像を取得する第１画像取得手段と、
前記取得した基準画像に基づいて、前記一の縦横比とは異なる他の縦横比の第２画像を取得する第２画像取得手段と、
前記取り込まれた第１画像及び第２画像のそれぞれの撮像範囲を示す標識を表示する表示手段と、
として機能させるためのプログラム。
【請求項７】
前記第１画像は縦長画像若しくは横長画像のいずれか一方であり、第２画像はその他方であることを特徴とする請求項６に記載のプログラム。
【請求項８】
前記第２画像の取得時に当該第２画像が撮像画面内に収まるか否かを判定する判定手段と、
前記判定手段の判定結果に応じて前記第２画像取得時における当該撮像装置の画角を調整する画角調整手段と、
として機能させるための請求項６又は７に記載のプログラム。
【請求項９】
前記標識は、撮像範囲を囲む枠であることを特徴とする請求項６〜８のいずれか一項に記載のプログラム。
【請求項１０】
前記標識は、撮像範囲を示すマーカであることを特徴とする請求項６〜８のいずれか一項に記載のプログラム。
【発明の詳細な説明】
【技術分野】
【０００１】
本発明は、撮像装置及びプログラムに関する。
【背景技術】
【０００２】
従来からデジタルカメラ又はフイルムカメラなどの撮像装置には、所定の縦横比で撮像される撮像範囲を確認することが可能なファインダーやＬＣＤ（Liquid  Crystal  Display）などの表示部が備えられている。なお、撮像範囲の縦横比は、撮像フィルムに固有するものや、デジタルカメラの設定などによるものであり、例えば、一般の３５ｍｍフィルムの縦横比は２：３であり、ＮＴＳＣ（National  Television  System  Committee）方式の縦横比は３：４である。
そして、上述の撮像装置の利用者は、表示部から撮像範囲を確認しながら縦又は横に構えて撮りたい構図を試行錯誤した後に、撮像を行なっていた。このため、撮像画像の構図としては、縦に構えた場合と横に構えた場合がある。例えば、特許文献１には、撮影時に、縦又は横で撮影し、画像再生時に正しい姿勢で表示部に表示するデジタルカメラの技術が開示されている。
【特許文献１】特開２００４−２０８０９６号公報
【発明の開示】
【発明が解決しようとする課題】
【０００３】
しかしながら、特許文献１などの従来の構成では、撮像画像を正立して表示することは可能であるが、縦の構図と横の構図の両方を確認する場合は撮像装置を構え直す必要があり、不便であった。また、利用者が意図した縦もしくは横のいずれか一方の構図よりも、他の一方の構図のほうが良い場合もあり、利用者の思いこみによりそれに気づかず、撮影のチャンスを逃す場合もあった。
【０００４】
そこで、本発明は、容易に縦と横との構図を確認することができる撮像装置の提供を課題とするものである。
【課題を解決するための手段】
【０００５】
上記課題を解決するために、撮像画面の縦横比が異なる撮像装置において、撮像に先立って基準画像を取得する基準画像取得手段と、前記取得した基準画像に基づいて、一の縦横比の第１画像を取得する第１画像取得手段と、前記取得した基準画像に基づいて、前記一の縦横比とは異なる他の縦横比の第２画像を取得する第２画像取得手段と、前記取り込まれた第１画像及び第２画像のそれぞれの撮像範囲を示す標識を表示する表示手段と、を備えたことを特徴とする。
【０００６】
請求項２に記載の発明は、請求項１に記載の発明において、前記第１画像は縦長画像若しくは横長画像のいずれか一方であり、第２画像はその他方であることを特徴とする。
【０００７】
請求項３に記載の発明は、請求項１又は２に記載の発明において、前記第２画像の取得時に当該第２画像が撮像画面内に収まるか否かを判定する判定手段と、前記判定手段の判定結果に応じて前記第２画像取得時における当該撮像装置の画角を調整する画角調整手段と、を備えたことを特徴とする。
【０００８】
請求項４に記載の発明は、請求項１〜３のいずれか一項に記載の発明において、前記標識は、撮像範囲を囲む枠であることを特徴とする。
【０００９】
請求項５に記載の発明は、請求項１〜３のいずれか一項に記載の発明において、前記標識は、撮像範囲を示すマーカであることを特徴とする。
【００１０】
更に、撮像画面の縦横比が異なる撮像装置のコンピュータに対して、上述した請求項１〜５に記載の発明に示した主要な機能を実現させるためのプログラムを提供する（請求項６〜１０に記載の発明）。
【発明の効果】
【００１１】
請求項１、６に記載の発明によれば、撮影に先立って画像を取得し、その画像に基づいて縦横比を違えた第１、第２画像を取得して、互いの画像の撮像範囲を示す標識を表示することで、撮像画面の縦横比が異なることによる縦又は横の２つの構図（撮像範囲）をカメラを構え直すことなく容易に確認することができる。
【００１２】
請求項２、７に記載の発明によれば、縦長又は横長の撮像範囲の確認を容易に行うことができる。
【００１３】
請求項３、８に記載の発明によれば、撮像画像の縦横比に応じて取得する画像の画角を調節するため、縦又は横に構えた場合の撮像範囲が収まる最大の画角に調節することができ、画角調節による画質劣化の少ない画像を取得することができる。
【００１４】
請求項４、５、９、１０に記載の発明によれば、撮像範囲を示す標識を枠で囲む表示やマーカー表示することで、撮像範囲をより利用者に認識しやすくすることができる。
【発明を実施するための最良の形態】
【００１５】
以下、図面を参照して、本発明に係る撮像装置１の実施の形態について説明する。なお、この発明はこの実施の形態に限定されるものではない。また、この発明の実施の形態は、発明の最も好ましい形態を示すものであり、この発明の用語はこれに限定されない。
【００１６】
図１は、撮像装置１の基本的な構成要素を示したブロック図である。撮像装置１は、制御部１０、撮像部１１、表示部１２、ファインダ部１３、入力部１４、メモリカードＩ／Ｆ１５、画像処理用メモリ１６、記憶部１７、及び外部Ｉ／Ｆ１８を備え、各部はバス１９により互いに電気的に接続されてなる。
【００１７】
制御部１０は、特に図示しないＣＰＵ（Central  Processing  Unit）、内部ＲＡＭ（Random  Access  Memory）、及びＲＯＭ（Read  Only  Memory）などを備え、ＣＰＵが前記内部ＲＡＭの所定領域を作業領域としてＲＯＭに格納されている各種制御プログラム又は各種データに従い、上記各部に制御信号を送って撮像装置１の動作全般を統括制御する。なお、上述の作業領域や各種プログラムの格納先は後述する記憶部１７であってよい。
【００１８】
具体的に制御部１０は、撮影レンズ及びミラー等のレンズ・ミラーブロック、ＣＣＤ（Charge  Coupled  Device）等の撮像素子、その駆動系のほか、測距センサ、光量センサ、アナログ処理回路、信号処理回路などを備えた撮像部１１の光学ズームを調整したり、オートフォーカス時の駆動制御、シャッタ駆動制御、露出、ホワイトバランスなどを制御する。この撮影レンズ系には、ズームレンズ系が含まれており、その中の移動レンズの位置をズームイン／ズームアウトの操作に応じて可変することで画角が調整される。その際、制御部１０は、現在のズーム倍率を移動レンズの位置に応じて監視するようにしている。
【００１９】
また、制御部１０は、撮像部１１によって撮像されて信号処理された画像データを画像処理用メモリ１６に送り、一時記憶させる。そして、画像処理用メモリ１６内の画像データは制御部１０の指示により表示部１２又はファインダ部１３に送られて表示される。また制御部１０は、入力部１４に設けられている特に図示しないシャッターボタンの操作に応じて画像処理用メモリ１６内の画像データを、圧縮符号化した後にメモリカードＩ／Ｆ１５に送り、特に図示しないメモリーカードにファイル形式で記録保存する。なお、画像処理用メモリ１６内の画像データは、後述する記憶部１７内のデータ領域に保存される構成であっても良い。
【００２０】
また、制御部１０は、画像処理用メモリ１６内の画像データに対して所定の画像処理を行なう。ここで行なわれる画像処理は、拡大／縮小処理、回転処理、トリミング処理、画像自体又は所定の矩形範囲の短辺／長辺の長さを計測する処理、２つの画像を比較して一致する部分を抽出する処理などがある。
例えば、撮像された画像データに対してトリミングと拡大／縮小処理を施すことで、一般に電子ズームとして知られる光学ズームと同様な画角調整を行うことができる。
【００２１】
表示部１２は、例えば、ＬＣＤなどによって構成され、撮像時の確認画面、画像再生画面、入力操作画面、メッセージ画面として使用されるもので、その解像度を撮像部１１内の撮像素子の解像度と略同様とした高精細ディスプレイである。
【００２２】
ファインダ部１３は、撮影方向からの光が入射される対物レンズ、制御部１０からの入力される指示に従ってフレーム、視野枠、又は各種データの表示を行なうファインダ用ＬＣＤ、入射される光束を利用者の眼に導く接眼レンズ、及び対物レンズとファインダ用ＬＣＤからの光を導光して接眼レンズへ導くプリズムなどにより構成される。利用者は、ファインダ部１３からの画像を確認することで、撮像範囲（構図）、絞り、シャッタースピードなどの撮影に関する情報を容易に知ることができる。なお、表示部１２において撮像した画像に視野枠や各種データを加えて表示し、ファインダ部１３に関する機能を実現する構成であっても良い。
【００２３】
入力部１４は、各種データ及びコマンドを入力するもので、電源ボタン、「半押し」又は「全押し」の２段階ストロークで押下操作が可能なシャッターボタンのほか、通常の撮影モード、縦横撮影モードなどを切り換えるモード切替ボタン、他の各種設定を行なうための選択ボタンなどが設けられている。
【００２４】
メモリカードＩ／Ｆ１５は、特に図示しないメモリーカードが着脱自在に装着されるインターフェイスであり、画像データなどをメモリーカードに転送する。メモリーカードは、着脱自在で不揮発性の記録メディアであり、例えば、スマートメディア、ＩＣカードなどによって構成されている。
【００２５】
画像処理用メモリ１６、記憶部１７は、電気的に消去及び書き換えが可能な不揮発メモリであるＥＥＰＲＯＭ（Electrically  Erasable  and  Programmable  ROM）やフラッシュメモリなどにより構成される。画像処理用メモリ１６は、後述する「第１の画像」及び「第２の画像」を格納するための第１の画像用メモリ１６ａ及び第２の画像用メモリ１６ｂを備える。なお、画像処理用メモリ１６は、画像処理を行なう画像データなどを一時的に保存するためのメモリであり、揮発メモリで構成されても良い。記憶部１７は、プログラム記憶領域、データ記憶領域、及び作業領域を有する構成となっている。このプログラム記憶領域には、後述するフローチャートに示す動作手順で本実施の形態に関する動作を実現するためのプログラムなどが格納されている。
【００２６】
外部Ｉ／Ｆ１８は、外部機器としてのデータ処理装置（パーソナルコンピュータなど）が接続されるもので、有線あるいは無線通信により所定の通信プロトコルに基づいて行なわれる画像データ又は各種データの送受信を制御する。
【００２７】
ここで、撮像部１１の詳細について図２に示す。撮像部１１は、センサ部１１１、光学系駆動部１１２、駆動回路１１３、撮像素子１１４、アナログ処理回路１１５、Ａ／Ｄ回路１１６、バッファ１１７、信号処理回路１１８、圧縮伸長回路１１９、レンズ１２０、及びシャッター１２１を備え、制御部１０の指示により撮像された画像データを所定の形式に変換して画像処理用メモリ１６に出力する。
【００２８】
センサ部１１１は、特に図示しない赤外光投光部及び受光部による測距回路とＣｄＳなどの光電導体による露光回路とから構成され、撮像方向にある撮像対象の距離値と露出値を制御部１０へ出力する。
【００２９】
光学系駆動部１１２は、後述するレンズ１２０、シャッター１２１をステッピングモータなどにより駆動する回路であり、上述のセンサ部１１１により得られる距離値や露出値に応じた撮像部１１の指示により、撮像素子１１４で結像する画像が撮像対象に合焦するようなレンズ１２０の移動と撮像素子１１４に入光する光量が適正となるようなシャッター１２１による露出制御とを行なう。
【００３０】
駆動回路１１３は、撮像素子１１４によって光電変換された各画素対応の電荷を画像信号として順次取出してアナログ処理回路１１５に与える。具体的には、撮像素子１１４は、ＣＣＤ又はＣＭＯＳ（Complementary  Metal  Oxide  Semiconductor）などの光センサにより構成され、当該撮像素子上に結像される画像を各画素対応の画像信号として出力する。
【００３１】
アナログ処理回路１１５は、撮像素子１１４から出力される画像のノイズを低減させるＣＤＳ（Correlated  Double  Sampling：相関二重サンプリング）回路、信号の増幅を行なうＡＧＣ（Automatic  Gain  Control：自動利得制御）回路、入力された画像信号における色差信号の差を利用して、Ｒ・Ｇ・Ｂの各色の色差成分に分離させる色分離回路、及びそのＲ・Ｇ・Ｂの各色差成分のバランスが同等になるように調整されるホワイトバランス制御回路などにより、所定のアナログ信号処理を行ない、Ａ／Ｄ回路１１６へアナログ画像信号を出力する。
【００３２】
Ａ／Ｄ回路１１６は、アナログ処理回路１１５から出力されるアナログ画像信号をデジタル画像信号に変換し、バッファ１１７へ出力する。バッファ１１７は、Ａ／Ｄ回路１１６で変換されたデジタル画像信号を一時的に記憶し、制御部１０の指示により信号処理回路１１８又は圧縮伸長回路１１９へ順次出力する。
【００３３】
信号処理回路１１８は、特に図示しないＤＳＰ（Digital  Signal  Processor）などで構成され、入力されたデジタル画像信号に対し、輝度処理、色処理、又は所定の閾値による輪郭検出処理などの各種画像処理を施して出力する。
【００３４】
圧縮伸長回路１１９は、入力されるデジタル画像信号を所定の符号化方式で圧縮又は復号化して制御部１０へ出力する。なお、ここにおける圧縮／伸長は、互いに可逆的であってもよいが、不可逆的な圧縮を行なうものであっても良い。例えば、ＡＤＣＴ（Adaptive  Discrete  Cosine  Transform：適応離散コサイン変換）、エントロピー符号化方式であるハフマン符号化などの処理によるＪＰＥＧ（Joint  Photographic  Experts  Group）画像への変換などでよい。
【００３５】
レンズ１２０は、撮像対象の像を前述の撮像素子１１４上に結像（合焦）するように調節可能なレンズである。なお、レンズ１２０は特に図示しない複数のレンズ群により画角調整が可能に構成される。具体的には、被写体側から第１群に焦点調節のためのレンズ群（フォーカス）、第２群に変倍（画角調整）のためのレンズ群（バリエータ）、第３群に変倍に伴う像の補正を行なうレンズ群（コンペンセータ）、第４群に結像用のレンズ群（リレー）を備え、バリエータの位置調整による画角調整とコンペンセータの位置調整による画像のピント調整とを行なう。なお、画角調整を行なう場合は、制御部１０において、バリエータの位置に応じた画角（倍率）を予め測定されて記憶部１７に格納された位置と画角の参照テーブルなどを元に算出し、ファインダ部１３へ表示する構成であっても良い。
シャッター１２１は、レンズ１２０と撮像素子１１４との間に配され、複数枚のシャッター羽根などにより開口径と開閉時間（露光時間）とを制御可能に構成される。
【００３６】
次に、本実施の形態における動作を説明する。
後述する各フローチャートに記述されている各機能を実現するためのプログラムは、読み取り可能なプログラムコードの形態で記憶部１７又はメモリーカードに格納されており、制御部１０が該プログラムコードに従った動作を逐次実行する。また、制御部１０は、外部Ｉ／Ｆ１８を介して外部から伝送される上記プログラムコードに従った動作を逐次実行することもできる。すなわち、撮像装置１内に格納されるプログラムの他、外部供給されたプログラム又はデータを利用して本実施の形態特有の動作を実現することも可能である。
【００３７】
図３は、制御部１０により実行される本実施の形態に係る動作処理を示すフローチャートである。（ａ）は入力部１４におけるシャッターボタンの半押しなどによる利用者からの焦点合わせの指示で開始される縦／横の構図を同時に表示する表示処理を示すフローチャートであり、（ｂ）はシャッターボタンの全押しなどによる利用者からの撮像指示で開始される「縦横撮影モード」における撮像処理を示すフローチャートである。
【００３８】
先ず、図３（ａ）に示す撮像範囲の表示処理について、以下に説明する。制御部１０は、入力部１４におけるシャッターボタンの半押し状態を検出すると、撮像部１１において撮像される対象物に対する光量制御／焦点合わせを行ない（ステップＳ１１）、撮像素子１１４上に結像された画像を画像データとして取り込む（ステップＳ１２）。
【００３９】
次に、「縦横撮影モード」であるか否かが判定され（ステップＳ１３）、「縦横撮影モード」でない場合（ステップＳ１３：Ｎ）は、通常の撮像を行なうための所定の光量制御／焦点合わせが行なわれ（ステップＳ１４）、終了する。なお、ここにおける「縦横撮影モード」とは、ファインダ部１３での撮像範囲の表示時に縦と横の構図を同時に表示する表示モードであり、予め入力部１４により選択され、記憶部１７にそのモードであることを示すデータが格納されて行なわれる。
【００４０】
「縦横撮影モード」である場合（ステップＳ１３：Ｙ）、基準画像取得手段としてのステップＳ１５によりステップＳ１２で取り込まれた画像データが基準画像データとして画像処理用メモリ１６に記憶され、該基準画像の短辺の長さｐと長辺の長さｑが算出される（ステップＳ１６）。なお、画像の長さの算出は、それぞれの長さ方向の画素数を計数することで行なわれる。
【００４１】
ステップＳ１６の後、撮像する画角が広げられ（ステップＳ１７）、画角調整後の画像データとして画像処理用メモリ１６に取り込まれ（ステップＳ１８）、上記基準画像データに対応する画像範囲の抽出が行なわれる（ステップＳ１９）。ステップＳ１９における画像の抽出は、基準画像を順次縮小し、その縮小された基準画像と取り込まれた画像とを中心を同位置に重ねて比較し、一致する範囲を抽出して行なわれる。
【００４２】
ステップＳ１９において抽出された画像、つまり画角を変化させた画像内における基準画像に対応する画像が第１画像取得手段としてのステップＳ２０により第１画像として第１の画像用メモリ１６ａに格納され、その第１画像の長辺の長さｎと短辺の長さｍが算出され（ステップＳ２１）、判定手段としてのステップＳ２２により第１画像に対して縦又は横に構図を違えた場合の画像領域（第１画像に対して９０度回転させた画像領域）が画角を広げられた後の画像領域に最大画角で収まる状態であるか否かがｍの値とｐ×ｐ／ｑの値の関係に基づいて判定される。なお、ステップＳ２０で格納される第１画像は、縮小された基準画像であっても良く、特に抽出された画像に限定するものではない。
【００４３】
ここで、ステップＳ２２における判定について、図５を参照して説明する。図５は、撮像部１１で撮像される短辺がｐ、長辺がｑの長さの画像Ｇを模式的に示した図である。そして、画像Ｇは、基準画像が取り込まれた後に第１画像である画像Ｇ１に対して９０度回転させた画像Ｇ２が収まるように最大画角に調整が行なわれた画像である。図５に示すとおり、最大画角に調整されたか否かの判定は、画像Ｇ２の長辺の長さｎがｐに一致する場合で（ｎ＝ｐ）、又は画角調整に対して縦横比は不変であることから（ｍ：ｎ＝ｐ：ｑ）ｍの値がｐ×ｐ／ｑの時であるか否かで行えば良い。
【００４４】
そして、画角調整手段として、ステップＳ２２において、ｍの方が大きいと判定された場合はさらに画角を広げるようにステップＳ１７からの処理に戻され、ｍの方が小さいと判定された場合は画角を狭められ（ステップＳ２３）、ステップＳ１８からの処理に戻される。
【００４５】
ステップＳ２２の判定で最大画角に調整が行なわれた後、変更された画像範囲（画角）に対する光量制御／焦点合わせの後に撮像画像が取り込まれ（ステップＳ２４）、その取り込んだ画像の中心から長辺方向に±ｍ／２を短辺とし、長辺の長さがｐである範囲の画像（図５の画像Ｇ２）が抽出され（ステップＳ２５）、抽出された画像が第２画像取得手段としてのステップＳ２６により第２画像として第２の画像用メモリ１６ｂに格納され、ステップＳ２４で取り込まれた画像が表示手段としてのステップＳ２７により第１画像と第２画像に枠又はマーカーを付けてファインダ部１３に識別表示され、終了する。
【００４６】
ここで、ステップＳ２７における第１画像と第２画像の識別表示について、図６を参照して説明する。図６は、「縦横撮影モード」が設定された撮像装置１で外界の風景に対し焦点合わせを行なった場合のファインダ部１３に表示される画像Ｇを例示する図である。
【００４７】
図６に示すように、撮像装置１は、焦点合わせ指示時における撮像範囲に対応する画像である画像Ｇ１と、それに対して縦横の構図を違えた撮像範囲に対応する画像である画像Ｇ２とが枠を付けて同時に識別表示されるため、縦と横の構図を容易に確認することができる。なお、図６では、横に構えた場合を例示したが、縦に構えた場合も同様である。
【００４８】
また、図６では、枠付けの表示例を示したが、撮像範囲の輝度を変更したり、撮像範囲外を網掛け表示したり、表示枠に縦又は横の構図を示す文字を表示するなど、撮像範囲を認識し易くするマーカー表示を行なう構成であってよい。
【００４９】
次に、図３（ｂ）に示す撮像処理について、以下に説明する。制御部１０は、入力部１４におけるシャッターボタンの全押し状態を検出すると、第１の画像用メモリ１６ａに格納された第１画像と第２の画像用メモリ１６ｂに格納された第２画像との画像サイズを短辺がｐ、長辺がｑの長さになるように夫々拡大処理して（ステップＳ３２、Ｓ３３）、その処理後の第１画像と第２画像を撮像画像としてファイル名に所定の文字を含ませるなどの対応付けを行なった後に記憶部１７に格納する（ステップＳ３３）。
【００５０】
このステップＳ３１〜Ｓ３３の撮像処理により、撮像装置１は、縦と横の構図で撮像した画像を同時に対応付けて取得することができる。
【００５１】
［変形例］
次に、図３に示した動作の変形例について図４、５を参照して説明する。
図４は、制御部１０により実行される動作処理を示すフローチャートであり、（ａ）は焦点合わせの指示で開始される縦／横の構図（撮像範囲）を同時に表示する表示処理を示すフローチャートであり、（ｂ）は撮像指示で開始される撮像処理を示すフローチャートである。
【００５２】
先ず、図４（ａ）に示す撮像範囲の表示処理について図５を参照しながら説明する。なお、ステップＳ４１〜Ｓ４６の各処理は、前述のステップＳ１１〜Ｓ１６の各処理と同様の処理なので、説明を省略する。
【００５３】
制御部１０は、ステップＳ４５で格納された基準画像（短辺の長さｐ、長辺の長さｑ）の長辺の長さがｐに一致するまで縮小し（ステップＳ４７）、その縮小した画像の長辺の長さｎと短辺の長さｍからｎ＝ｐとなる縮小率ｋ（ｋ＝ｎ／ｑ）を算出する（ステップＳ４８）。
【００５４】
次に、撮像部１１から撮像画像が取り込まれ（ステップＳ４９）、その取り込まれた画像内に含まれる基準画像を認識し、
その認識された基準画像に対応する画像の大きさの取り込まれた画像（撮像画像）に対する縮小率が上述のｋと一致するまで画角の調整が行なわれる（ステップＳ５０、Ｓ５１）。
【００５５】
ステップＳ５１で一致すると判定された後、変更された画像範囲（画角）に対する光量制御／焦点合わせの後に撮像画像が取り込まれ（ステップＳ５２）、その取り込んだ画像の中心から長辺方向に±ｎ／２を長辺とし、同じく中心から短辺方向に±ｍ／２を短辺とする範囲の画像（図５の画像Ｇ１）が抽出され（ステップＳ５３）、抽出された画像が第１画像として第１の画像用メモリ１６ａに格納される（ステップＳ５４）。
【００５６】
ステップＳ５４の後に、前述のステップＳ２５〜Ｓ２７と同様の処理がステップＳ５５〜Ｓ５７で行なわれ、取り込まれた画像の第１画像と第２画像が枠を付けてファインダ部１３に識別表示されて終了する。
【００５７】
上述した図４（ａ）の処理のように、ｎとｐとの関係に基づいて最適な画角を判定する構成であっても良い。なお、縮小率ｋに対応する画角を広げる変化量を予め記憶部１７に格納し、その値に応じて画角を変化させる構成であっても良い。
【００５８】
また、図４（ｂ）に示すように、撮像指示時には、前述の図３（ｂ）と同様の処理が行なわれる。よって、変形例においても、撮像装置１は、縦と横の構図で撮像した画像を同時に対応付けて取得することができる。
【００５９】
以上のように、撮像装置１は、撮影に先立って撮像部１１から取得される第１画像に対して縦又は横に構図を違えた第２画像を画角を調節して取得し、その第１画像と第２画像とをファインダ部１３に識別表示する。さらに、撮像装置１は、前記第２画像の取得時の画角調節を撮像部１１で撮像される画像の縦横比に応じて行なう。
【００６０】
したがって、利用者は、撮像装置を構え直す必要がなく、容易に縦と横との構図で撮像した場合の撮像範囲を確認することができる。
【００６１】
なお、本発明は、発明の趣旨を逸脱しない範囲で自由に変更、改良が可能である。例えば、撮像装置１における画角調整は、レンズ１２０による光学ズームあるいは制御部１０の画像処理による電子ズームのいずれか一方又は両方を備える構成であってよいが、光学ズームを優先して行なう構成が画像処理による画質の劣化を防止できる点でより好適である。
【図面の簡単な説明】
【００６２】
【図１】本発明である撮像装置１の機能的構成を模式的に示した図である。
【図２】撮像部１１の内部構成を模式的に示した図である。
【図３】本発明に係る撮像装置１の動作を示したフローチャートであり、（ａ）は縦／横の構図を同時に表示する処理を示し、（ｂ）は撮像処理を示す。
【図４】撮像装置１の動作の変形例を示したフローチャートであり、（ａ）は縦／横の構図を同時に表示する処理を示し、（ｂ）は撮像処理を示す。
【図５】撮像部１１により撮像される画像Ｇを例示する図である。
【図６】縦／横の構図を同時に表示する画像Ｇを例示する図である。
【符号の説明】
【００６３】
１  撮像装置
１０  制御部
１１  撮像部
１２  表示部
１３  ファインダ部
１４  入力部
１５  メモリカードＩ／Ｆ
１６  画像処理用メモリ
１６ａ  第１の画像用メモリ
１６ｂ  第２の画像用メモリ
１７  記憶部
１８  外部Ｉ／Ｆ
１９  バス
１１１  センサ部
１１２  光学系駆動部
１１３  駆動回路
１１４  撮像素子
１１５  アナログ処理回路
１１６  Ａ／Ｄ回路
１１７  バッファ
１１８  信号処理回路
１１９  圧縮伸長回路
１２０  レンズ
１２１  シャッター
Ｇ、Ｇ１、Ｇ２  画像
【図１】
2006186543.tif 000003
【図２】
2006186543.tif 000004
【図３】
2006186543.tif 000005
【図４】
2006186543.tif 000006
【図５】
2006186543.tif 000007
【図６】
2006186543.tif 000008